(57)【要約】【課題】扉を押し引き操作するだけで、扉の開閉動作を適正に行うことができるようにした扉の固定装置を提供すること。【解決手段】摺動可能に配設したボルト１をストライク６に形成した溝部６１に挿入して扉Ｄの固定を行う扉の固定装置において、先端側にボルト１を摺動可能に保持し、ボルト１を突出方向に付勢するばね１１を備えた、基台５に揺動軸２１を介して揺動可能に配設した揺動部材２と、この揺動部材２の基端側に当接して揺動部材２の揺動を規制する、基台５に対して摺動可能に配設した摺動部材３と、この摺動部材３を摺動可能に保持し、摺動部材３を突出方向に付勢するばね３１を備えた、基台５に配設した保持部材４と、ボルト１が挿入される溝部６１及びこの溝部６１にボルト１を案内する傾斜面６２を形成したストライク６とから構成される。【選択図】  図１
2004183297.tif 000002
【特許請求の範囲】
【請求項１】
摺動可能に配設したボルトをストライクに形成した溝部に挿入して扉の固定を行う扉の固定装置において、先端側に前記ボルトを摺動可能に保持し、該ボルトを突出方向に付勢するばねを備えた、基台に揺動軸を介して揺動可能に配設した揺動部材と、該揺動部材の基端側に当接して揺動部材の揺動を規制する、基台に対して摺動可能に配設した摺動部材と、該摺動部材を摺動可能に保持し、該摺動部材を突出方向に付勢するばねを備えた、基台に配設した保持部材と、前記ボルトが挿入される溝部及び該溝部にボルトを案内する傾斜面を形成したストライクとからなることを特徴とする扉の固定装置。
【発明の詳細な説明】
【０００１】
【発明の属する技術分野】
本発明は、扉の固定装置に関し、特に、扉を押し引き操作するだけで、扉の開閉動作を適正に行うことができるようにした扉の固定装置に関するものである。
【０００２】
【従来の技術】
従来、室内の出入口に取り付けられる扉には、開いた扉を自動的に閉じるようにするために自動閉戸装置（ドアクローザ）が取り付けられている。
この自動閉扉装置は、扉を閉じる方向に付勢するばね及び扉が閉じるときの速度調整を行う油圧ダンパ等の緩衝機構を備えるようにしている。
【０００３】
【発明が解決しようとする課題】
このように、従来の自動閉扉装置は、急激に扉が閉じて人に当たったり、手を挟んだりすることがないように、扉が閉じるときの速度調整を行う油圧ダンパ等の緩衝機構を備えるようにしている。
これによって、この緩衝機構によって閉じる方向の扉の慣性力が吸収され、また、扉の閉じ位置では、扉を閉じる方向に付勢するばねの力の自体が小さくなるため、扉が閉じられる直前位置では、扉を閉じる方向に働く力が小さくなる。
【０００４】
一方、扉には、風等の小さな外力によって扉が開かないように、通常、ラッチボルト及びストライクを備えた扉の固定装置が設けられている。
ところで、従来用いられている扉の固定装置は、扉が閉じられる直前位置で扉を閉じる方向に働く力が小さくなっても、この固定装置が機能するように、ラッチボルトの扉が閉じる方向の面を傾斜面に形成し、小さな外力によって扉が開かないように、扉が開く方向の面を平行面に形成するようにしている。
そして、扉を開く場合には、ハンドル（握玉、レバー）を回すことによって、ラッチボルトとストライクの係止を解除するようにしている。
【０００５】
このように、従来用いられている扉の固定装置は、風等の小さな外力によって扉が開かないようにするため、扉を開く場合には、ハンドルを回すことによって、ラッチボルトとストライクの係止を解除する必要があり、両手に物を持っているときや老人や身障者にとって、扉の開操作を行いにくいという問題があった。
【０００６】
また、上記扉の固定装置は、扉の閉じ位置から両方向に開くことができる扉には、風等の小さな外力が一方向から加わった場合、扉が開いてしまうことから、適用できなかった。
【０００７】
本発明は、上記従来の扉の固定装置の有する問題点に鑑み、例えば、自動閉戸装置が取り付けられ、扉が閉じられる直前位置において、扉を閉じる方向に働く力が小さくなる扉や、扉の閉じ位置から両方向に開くことができる扉においても、扉を押し引き操作するだけで、扉の開閉動作を適正に行うことができるようにした扉の固定装置を提供することを目的とする。
【０００８】
【課題を解決するための手段】
上記目的を達成するため、本発明の扉の固定装置は、摺動可能に配設したボルトをストライクに形成した溝部に挿入して扉の固定を行う扉の固定装置において、先端側に前記ボルトを摺動可能に保持し、該ボルトを突出方向に付勢するばねを備えた、基台に揺動軸を介して揺動可能に配設した揺動部材と、該揺動部材の基端側に当接して揺動部材の揺動を規制する、基台に対して摺動可能に配設した摺動部材と、該摺動部材を摺動可能に保持し、該摺動部材を突出方向に付勢するばねを備えた、基台に配設した保持部材と、前記ボルトが挿入される溝部及び該溝部にボルトを案内する傾斜面を形成したストライクとからなることを特徴とする。
【０００９】
この扉の固定装置は、扉を閉じる場合には、ボルトが、ストライクに形成した傾斜面に案内されながら、ボルトを突出方向に付勢するばねの付勢力に抗して摺動し、ストライクに形成した溝部に挿入される。これにより、ボルトとストライクが係止され、風等の小さな外力によって扉が開かないようにすることができる。
そして、自動閉戸装置が取り付けられ、扉が閉じられる直前位置において、扉を閉じる方向に働く力が小さくなる扉の場合には、ボルトを突出方向に付勢する力が比較的小さなばねを揺動部材に配設することにより、支障なく自動的に扉を閉じるようにすることができる。
また、扉を開く場合には、扉を押し操作又は引き操作することにより、ボルトがストライクに形成した溝部に挿入された状態で、揺動部材の基端側に当接して揺動部材の揺動を規制する摺動部材が、摺動部材を突出方向に付勢するばねの付勢力に抗して摺動するとともに、揺動部材が揺動し、これにより、ボルトとストライクの係止を解除することができる。
そして、摺動部材を突出方向に付勢するばねの付勢力を調節することにより、摺動部材が摺動するとともに、揺動部材が揺動して、ボルトとストライクの係止が解除されるのに要する力を容易に調整することができる。
【００１０】
【発明の実施の形態】
以下、本発明の扉の固定装置の実施の形態を図面に基づいて説明する。
【００１１】
図１〜図８に、本発明の扉の固定装置の第１実施例を示す。
この扉の固定装置は、図１〜図２に示すように、扉Ｄの上面の先端部に配設される固定装置本体Ｌの摺動可能に配設したボルト１を、この固定装置本体Ｌと対向する扉枠Ｋの竪枠に配設したストライク６に形成した溝部６１に挿入して、扉Ｄの固定を行うもので、固定装置本体Ｌは、摺動可能に配設したボルト１と、先端側にボルト１を摺動可能に保持し、ボルト１を突出方向に付勢するばね１１を備えた、基台５に揺動軸２１を介して揺動可能に配設した揺動部材２と、この揺動部材２の基端側に当接して揺動部材２の揺動を規制する、基台５に対して摺動可能に配設した摺動部材３と、この摺動部材３を摺動可能に保持し、摺動部材３を突出方向に付勢するばね３１を備えた、基台５に配設した保持部材４とから構成される。
【００１２】
この場合において、ボルト１は、ばね１１により突出方向に付勢させるとともに、ボルト１に打ち込まれたピン１２が、揺動部材２に形成した長孔２２に挿通されることにより、抜け止めされ、所要範囲で摺動可能に配設される。
そして、ボルト１を突出方向に付勢するばね１１には、付勢力が比較的小さなばねを用いることにより、扉Ｄに取り付けられた自動閉戸装置Ｃが、扉Ｄが閉じられる直前位置において、扉Ｄを閉じる方向に働く力が小さくなるような場合においても、支障なく自動的に扉Ｄを閉じるようにすることができる。
【００１３】
また、揺動部材２の基端側に当接して揺動部材２の揺動を規制する、基台５に対して摺動可能に配設した摺動部材３は、図３及び図５に示すように、基台５に形成した矩形の透孔５１に嵌り込んで摺動する揺動部材２の基端側に当接する平坦面を有する先端部３２と、基端側の筒状部３３とからなり、筒状部３３に摺動部材２を突出方向に付勢するばね３１を挿入するようにする。
【００１４】
また、摺動部材３を摺動可能に保持し、摺動部材３を突出方向に付勢するばね３１を備えた、基台５に配設した保持部材４は、図４及び図５に示すように、基台５に形成した矩形の透孔５１に嵌り込んでビス（図示省略）等によって固定されるとともに、有底の円孔４１を備え、該円孔４１内にばね３１及び摺動部材３の基端側の筒状部３３を挿入し、摺動部材３を摺動可能に保持されるするようにする。
【００１５】
一方、ストライク６は、図６に示すように、ボルト１が挿入される溝部６１及びこの溝部６１にボルト１を案内する傾斜面６２を形成するようにする。
この場合、傾斜面６２は、扉の閉じ位置から両方向に開くことができる扉に適用することができるように、通常、溝部６１の両側に形成するようにするが、扉の閉じ位置から一方向のみに開くことができる扉に適用するものの場合には、溝部６１の一側に形成するようにすることもできる。
【００１６】
次に、この扉の固定装置の動作について説明する。
まず、扉Ｄを閉じる場合には、図７に示すように、ボルト１が、ストライク６に形成した傾斜面６２に案内されながら、ボルト１を突出方向に付勢するばね１１の付勢力に抗して摺動し、ストライク６に形成した溝部６１に挿入される。これにより、ボルト１とストライク６が係止され、風等の小さな外力によって扉Ｄが開かないようにすることができる。
そして、自動閉戸装置Ｃが取り付けられ、扉Ｄが閉じられる直前位置において、扉Ｄを閉じる方向に働く力が小さくなる扉の場合には、ボルト１を突出方向に付勢する力が比較的小さなばね１１を揺動部材２に配設することにより、支障なく自動的に扉Ｄを閉じるようにすることができる。
【００１７】
また、扉Ｄを開く場合には、図８に示すように、扉Ｄを押し操作又は引き操作することにより、ボルト１がストライク６に形成した溝部６１に挿入された状態で、揺動部材２の基端側に当接して揺動部材２の揺動を規制する摺動部材３が、摺動部材３を突出方向に付勢するばね３１の付勢力に抗して摺動するとともに、揺動部材２が揺動し、これにより、ボルト１とストライク６の係止を解除することができる。
そして、摺動部材３を突出方向に付勢するばね３１の付勢力を調節することにより、摺動部材３が摺動するとともに、揺動部材２が揺動して、ボルト１とストライク６の係止が解除されるのに要する力を容易に調整することができる。
【００１８】
これにより、例えば、自動閉戸装置Ｃが取り付けられ、扉Ｄが閉じられる直前位置において、扉Ｄを閉じる方向に働く力が小さくなる扉や、扉Ｄの閉じ位置から両方向に開くことができる扉においても、開いた扉Ｄを自動的に確実に閉じるようにすることができる一方で、扉Ｄを押し引き操作するだけで、扉Ｄの開閉動作を適正に行うことができる。
【００１９】
ところで、上記実施例の扉の固定装置は、固定装置本体Ｌを、その一部、具体的には、基台５に形成した矩形の透孔５１から突出する摺動部材３及び保持部材４を、扉Ｄの上面の先端部に凹部を形成し、この凹部に埋め込むように配設するようにする。
【００２０】
また、このほか、図９に示す本発明の扉の固定装置の第２実施例のように、固定装置本体Ｌを、ボルト１を除いて、扉Ｄの上面の先端部に凹部を形成し、この凹部に埋め込むように配設することもできる。
【００２１】
この場合、扉の固定装置の固定装置本体Ｌは、摺動可能に配設したボルト１と、先端側にボルト１を摺動可能に保持し、ボルト１を突出方向に付勢するばね１１を備えた、ケース状の基台７に揺動軸２１を介して揺動可能に配設した揺動部材２と、この揺動部材２の基端側に当接して揺動部材２の揺動を規制する、基台７に対して摺動可能に配設した摺動部材３と、この摺動部材３を摺動可能に保持し、摺動部材３を突出方向に付勢するばね３１を備えた、基台７に配設した保持部材４とから構成される。
【００２２】
そして、この固定装置本体Ｌと対向する扉枠Ｋの上枠に、上記第１実施例の扉の固定装置と同様のストライク６を配設し、固定装置本体Ｌの摺動可能に配設したボルト１を、ストライク６に形成した溝部６１に挿入して、扉Ｄの固定を行うようにする。
【００２３】
なお、この扉の固定装置のその他の構成及び動作は、上記第１実施例の扉の固定装置と同様である。
【００２４】
以上、本発明の扉の固定装置について、複数の実施例に基づいて説明したが、本発明は上記実施例に記載した構成に限定されるものではなく、各実施例に記載した構成を適宜組み合わせたり、固定装置本体Ｌとストライク６の取り付け位置を扉Ｄと扉枠Ｋで逆にする等、その趣旨を逸脱しない範囲において適宜その構成を変更することができるものである。
そして、その適用対象も、自動閉戸装置が取り付けられ、扉が閉じられる直前位置において、扉を閉じる方向に働く力が小さくなる扉や、扉の閉じ位置から両方向に開くことができる扉のほか、戸当たりを備えることにより、扉の閉じ位置から一方向のみに開くことができる扉にも適用できるものである。
【００２５】
【発明の効果】
本発明の扉の固定装置によれば、扉を閉じる場合には、ボルトが、ストライクに形成した傾斜面に案内されながら、ボルトを突出方向に付勢するばねの付勢力に抗して摺動し、ストライクに形成した溝部に挿入される。これにより、ボルトとストライクが係止され、風等の小さな外力によって扉が開かないようにすることができる。
そして、自動閉戸装置が取り付けられ、扉が閉じられる直前位置において、扉を閉じる方向に働く力が小さくなる扉の場合には、ボルトを突出方向に付勢する力が比較的小さなばねを揺動部材に配設することにより、支障なく自動的に扉を閉じるようにすることができる。
また、扉を開く場合には、扉を押し操作又は引き操作することにより、ボルトがストライクに形成した溝部に挿入された状態で、揺動部材の基端側に当接して揺動部材の揺動を規制する摺動部材が、摺動部材を突出方向に付勢するばねの付勢力に抗して摺動するとともに、揺動部材が揺動し、これにより、ボルトとストライクの係止を解除することができる。
そして、摺動部材を突出方向に付勢するばねの付勢力を調節することにより、摺動部材が摺動するとともに、揺動部材が揺動して、ボルトとストライクの係止が解除されるのに要する力を容易に調整することができる。
これにより、例えば、自動閉戸装置が取り付けられ、扉が閉じられる直前位置において、扉を閉じる方向に働く力が小さくなる扉や、扉の閉じ位置から両方向に開くことができる扉においても、開いた扉を自動的に確実に閉じるようにすることができる一方で、扉を押し引き操作するだけで、扉の開閉動作を適正に行うことができる。
【図面の簡単な説明】
【図１】本発明の扉の固定装置の第１実施例を示す全体図で、（ａ）は平面図、（ｂ）は一部破断した正面図である。
【図２】同扉の固定装置を配設した扉の正面図である。
【図３】同扉の固定装置の摺動部材を示し、（ａ）は左側面図、（ｂ）は右側面図、（ｃ）は断面図である。
【図４】同扉の固定装置の保持部材を示し、（ａ）は平面図、（ｂ）は左側面図、（ｃ）は右側面図、（ｄ）は一部破断した正面図である。
【図５】同扉の固定装置の基台を示す正面図である。
【図６】同扉の固定装置のストライクを示し、（ａ）は平面図、（ｂ）は右側面図である。
【図７】同扉の固定装置の扉を閉じるときの動作説明図である。
【図８】同扉の固定装置の扉を開くときの動作説明図である。
【図９】本発明の扉の固定装置の第２実施例を示す全体図で、（ａ）は正面断面図、（ｂ）は右側面断面である。
【符号の説明】
Ｃ    自動閉戸装置
Ｄ    扉
Ｌ    固定装置本体
１    ボルト
１１  ばね
２    揺動部材
２１  揺動軸
３    摺動部材
３１  ばね
４    保持部材
５    基台
６    ストライク
６１  溝部
６２  傾斜面
７    基台（ケース）
【図１】
2004183297.tif 000003
【図２】
2004183297.tif 000004
【図３】
2004183297.tif 000005
【図４】
2004183297.tif 000006
【図５】
2004183297.tif 000007
【図６】
2004183297.tif 000008
【図７】
2004183297.tif 000009
【図８】
2004183297.tif 000010
【図９】
2004183297.tif 000011